(57)【要約】記録再生装置（１）は、記録媒体（１００）から読み取られた読取信号（ＲＲＦ）の振幅レベルを所定の振幅制限値（Ｌ）にて制限して振幅制限信号（ＲＳＬＩＭ）を取得する振幅制限手段（１５１、１５２）と、振幅制限信号に対して高域強調フィルタリング処理を行うことで等化補正信号（ＲＳＨ）を取得するフィルタリング手段（１５３）と、振幅制限手段における振幅レベルの基準点を示す基準レベルを可変に調整する調整手段（１８）とを備える。
2008053541.tif 000002
【特許請求の範囲】
【請求項１】
記録媒体から読み取られた読取信号の振幅レベルを所定の振幅制限値にて制限して振幅制限信号を取得する振幅制限手段と、
前記振幅制限信号に対して高域強調フィルタリング処理を行うことで等化補正信号を取得するフィルタリング手段と、
前記振幅制限手段における前記振幅レベルの基準点を示す基準レベルを可変に調整する調整手段と
を備えることを特徴とする情報再生装置。
【請求項２】
前記調整手段は、前記基準レベルが、ランレングスの最も短い記録データを読み取った際に得られる読取信号の信号レベルの中央値となるように、前記基準レベルを調整することを特徴とする請求の範囲第１項に記載の情報再生装置。
【請求項３】
前記調整手段は、前記読取信号のアシンメトリ値、β値及び波形歪み量の少なくとも一つに基づいて、前記基準レベルを調整することを特徴とする請求の範囲第１項に記載の情報再生装置。
【請求項４】
前記調整手段は、前記アシンメトリ値、前記β値及び前記波形歪みの少なくとも一つに応じて設定されるオフセット値を加算することで前記基準レベルを調整することを特徴とする請求の範囲第３項に記載の情報再生装置。
【請求項５】
前記調整手段は、前記基準レベルが前記波形歪みと交わらなくなるように、前記基準レベルを調整することを特徴とする請求の範囲第３項に記載の情報再生装置。
【請求項６】
前記調整手段は、前記振幅制限値の上限及び下限の少なくとも一方が前記波形歪みと交わらなくなるように、前記基準レベルを調整することを特徴とする請求の範囲第３項に記載の情報再生装置。
【請求項７】
前記調整手段は、前記波形歪みが発生している側とは反対の側へ前記基準レベルがシフトするように、前記基準レベルを調整することを特徴とする請求の範囲第３項に記載の情報再生装置。
【請求項８】
前記調整手段は、記録データのうちユーザデータに相当する読取信号の振幅レベルを制限する場合における前記基準レベルを、前記ユーザデータに相当する読取信号の波形歪み量に応じて調整し、前記記録データのうち前記ユーザデータを再生する際の同期を取るために用いられる同期データに相当する読取信号の振幅レベルを制限する場合における前記基準レベルを、前記同期データに相当する読取信号の波形歪み量に応じて調整することを特徴とする請求の範囲第３項に記載の情報再生装置。
【請求項９】
前記調整手段は、読取エラーが生じた場合に、前記基準レベルを調整することを特徴とする請求の範囲第１項に記載の情報再生装置。
【請求項１０】
記録媒体から読み取られた読取信号の振幅レベルを所定の振幅制限値にて制限して振幅制限信号を取得する振幅制限工程と、
前記振幅制限信号に対して高域強調フィルタリング処理を行うことで等化補正信号を取得するフィルタリング工程と、
前記振幅制限工程における前記振幅レベルの基準点を示す基準レベルを可変に調整する調整工程と
を備えることを特徴とする情報再生方法。
【請求項１１】
記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段と、前記振幅制限手段における前記振幅レベルの基準点を示す基準レベルを可変に調整する調整手段とを備える情報再生装置に備えられたコンピュータを制御する再生制御用のコンピュータプログラムであって、
該コンピュータを、前記振幅制限手段、前記フィルタリング手段及び前記調整手段の少なくとも一部として機能させることを特徴とする再生制御用のコンピュータプログラム。
【発明の詳細な説明】
【技術分野】
【０００１】
本発明は、例えば記録媒体に記録された記録データの再生を行う情報再生装置及び方法であって、特に記録媒体に記録された記録データを読み取ることで得られる読取信号に対してフィルタリング処理等の波形等化を行う情報再生装置及び方法、並びにコンピュータをこのような情報再生装置として機能させるコンピュータプログラムの技術分野に関する。
【背景技術】
【０００２】
記録データが高密度記録されている記録媒体から読み取られた読取信号のＳＮ比を改善すべく、かかる読取信号に対して高域を強調するフィルタリング処理を施して波形等化を行う技術が知られている。特に、特許文献１によれば、読取信号の振幅制限を行った後にフィルタリング処理を行うことで、符号間干渉を生じさせることなく、高域を強調することができる技術（いわゆるリミットイコライザに関する技術）が開示されている。【０００３】
【特許文献１】特許第３４５９５６３号
【発明の開示】
【発明が解決しようとする課題】
【０００４】
このようなリミットイコライザでは、回路構成上、ゼロレベルが読取信号のβ値（つまり、読取信号の振幅中心の平均位置）となる。従って、β値がゼロであれば、ゼロレベルは、ランレングスが最も短い記録マーク（例えば、ＤＶＤであればランレングス３Ｔの記録データであり、Ｂｌｕ−ｒａｙ  Ｄｉｓｃであればランレングス２Ｔの記録データ）を読み取った際に得られる読取信号の振幅中心と一致する。他方で、アシンメトリが発生するにつれて、ゼロレベルは、ランレングスが最も短い記録マークを読み取った際に得られる読取信号の振幅中心からずれていく。一般的に、リミットイコライザは、振幅制限と高域強調を行うことによって読み取り信号のエッジを立てる効果があるため、ある程度のアシンメトリの発生については有利である。しかしながら、この場合、ずれが極端に大きくなる（つまり、アシンメトリが極端に大きくなる）と、再生特性が大きく悪化してしまうという技術的な問題点を有している。【０００５】
本発明は、例えば上述した従来の問題点に鑑みなされたものであり、例えばより良好に振幅制限を行いながら波形等化を行うことができる情報再生装置及び方法、並びにコンピュータプログラムを提供することを課題とする。
【課題を解決するための手段】
【０００６】
上記課題を解決するために、本発明の情報再生装置は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段と、前記振幅制限手段における前記振幅レベルの基準点を示す基準レベルを可変に調整する調整手段とを備える。【０００７】
上記課題を解決するために、本発明の情報再生方法は、記録媒体から読み取られた読取信号の振幅レベルを所定の振幅制限値にて制限して振幅制限信号を取得する振幅制限工程と、前記振幅制限信号に対して高域強調フィルタリング処理を行うことで等化補正信号を取得するフィルタリング工程と、前記振幅制限工程における前記振幅レベルの基準点を示す基準レベルを可変に調整する調整工程とを備える。【０００８】
上記課題を解決するために、本発明のコンピュータプログラムは、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段と、前記振幅制限手段における前記振幅レベルの基準点を示す基準レベルを可変に調整する調整手段とを備える情報再生装置に備えられたコンピュータを制御する再生制御用のコンピュータプログラムであって、該コンピュータを、前記振幅制限手段、前記フィルタリング手段及び前記調整手段の少なくとも一部として機能させる。【０００９】
本発明の作用及び他の利得は次に説明する実施の形態から明らかにされよう。
【図面の簡単な説明】
【００１０】
【図１】本実施例に係る情報再生装置の基本構成を概念的に示すブロック図である。
【図２】本実施例に係るリミットイコライザの構成を概念的に示すブロック図である。
【図３】振幅制限値の上限及び下限の設定動作を、サンプル値系列上で概念的に示す波形図である。
【図４】高域強調読取サンプル値系列の取得動作を、サンプル値系列上で概念的に示す波形図である。
【図５】アシンメトリが発生している場合における、サンプル値系列及びゼロレベルを概念的に示す波形図である。
【図６】アシンメトリ対ジッタ値の相関関係を概念的に示すグラフである。
【図７】β値を概念的に示す波形図である。
【図８】β値に基づくオフセット値を算出するオフセット算出回路の構成を概念的に示すブロック図である。
【図９】β値に基づくオフセット値を算出する場合の、本実施例に係る情報再生装置の一の動作の流れを概念的に示すフローチャートである。
【図１０】β値に基づくオフセット値を算出する場合の、本実施例に係る情報再生装置の他の動作の流れを概念的に示すフローチャートである。
【図１１】別のβ値を概念的に示す波形図である。
【図１２】別のβ値を算出するオフセット算出ブロックの構成を概念的に示すブロック図である。
【図１３】アシンメトリ値を概念的に示す波形図である。
【図１４】アシンメトリ値に基づくオフセット値を算出するオフセット算出回路の構成を概念的に示すブロック図である。
【図１５】アシンメトリ値に基づくオフセット値を算出する場合の、本実施例に係る情報再生装置の一の動作の流れを概念的に示すフローチャートである。
【図１６】アシンメトリ値に基づくオフセット値を算出する場合の、本実施例に係る情報再生装置の他の動作の流れを概念的に示すフローチャートである。
【図１７】波形歪みを概念的に示す波形図である。
【図１８】波形歪みに基づくオフセット値を算出するオフセット算出回路の構成を概念的に示すブロック図である。
【図１９】他の波形歪みを概念的に示す波形図である。
【図２０】波形歪みに基づくオフセット値を算出する場合の、本実施例に係る情報再生装置の一の動作の流れを概念的に示すフローチャートである。
【図２１】波形歪みに基づくオフセット値を算出する場合の、本実施例に係る情報再生装置の他の動作の流れを概念的に示すフローチャートである。
【図２２】波形歪み量に応じたオフセット値を読取サンプル値系列に加算することなくゼロレベルを設定する場合及び波形歪み量に応じたオフセット値を読取サンプル値系列に加算することでゼロレベルを調整する場合の夫々における高域強調読取サンプル値系列の取得動作を、波形歪みが発生しているサンプル値系列上で概念的に示す波形図である。
【図２３】振幅制限値の上限又は下限と波形歪みとの位置関係に対するシンボルエラーレートの変化を示すグラフである。
【図２４】同期データが記録データに含まれていることを考慮しながら、波形歪み量に基づいてオフセット値を算出するオフセット算出回路の構成を概念的に示すブロック図である。
【図２５】変形例に係る情報再生装置の基本構成を概念的に示すブロック図である。
【符号の説明】
【００１１】
１、２  情報再生装置
１０  スピンドルモータ
１１  ピックアップ
１２  ＨＰＦ
１３  Ａ／Ｄ変換器
１４  プリイコライザ
１５、２５  リミットイコライザ
１６  ２値化回路
１７  復号回路
１８  オフセット算出回路
１９  加算器
１５１  振幅制限値設定ブロック
１５２  振幅制限ブロック
１５２２  補間フィルタ
１５２３  リミッタ
１５３  高域強調ブロック
【発明を実施するための最良の形態】
【００１２】
以下、発明を実施するための最良の形態として、本発明の情報再生装置及び方法、並びにコンピュータプログラムに係る実施形態の説明を進める。【００１３】
（情報再生装置の実施形態）
本発明の情報再生装置に係る実施形態は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段と、前記振幅制限手段における前記振幅レベルの基準点を示す基準レベルを可変に調整する調整手段とを備える。【００１４】
本発明の情報再生装置に係る実施形態によれば、振幅制限手段の動作により、記録媒体から読み取られた読取信号の振幅レベルが制限される。具体的には、読取信号のうち振幅レベルが振幅制限値の上限よりも大きい又は下限より小さい信号成分は、振幅レベルが振幅制限値の上限又は下限に制限される。他方、読取信号のうち振幅レベルが振幅制限値の上限以下且つ下限以上である信号成分は、振幅レベルが制限されることはない。このように振幅レベルの制限が施された読取信号は、振幅制限信号としてフィルタリング手段へ出力される。フィルタリング手段においては、振幅制限信号に対して高域強調フィルタリング処理を行う。その結果、等化補正信号が取得される。その後は、等化補正信号に対して、例えば２値化処理や復号化処理等が行われる。これにより、記録媒体に記録された記録データ（例えば、映像データや音声データ等）の再生処理を行うことができる。【００１５】
これにより、フィルタリング手段上において、読取信号（又はそのサンプル値）のばらつき（つまり、ジッタ）の発生を抑制することができ、その結果、符号間干渉を生じさせることなく、読取信号の高域強調を行うことができる。【００１６】
本実施形態では特に、調整手段の動作により、振幅制限手段における振幅レベル（言い換えれば、信号レベル）の基準点を示す基準レベル（例えば、ゼロレベル）を、所望の値に調整することができる。つまり、基準レベルは、一義的に定まる固定値に固定されることなく、情報再生装置による再生動作の最中に、適宜調整（言い換えれば、変更）することができる。【００１７】
このため、例えば読取信号にアシンメトリ等が生じた場合であっても、該アシンメトリ等の影響を考慮して基準レベルを調整することができる。例えば、アシンメトリ等による影響を打ち消すように基準レベルを調整することができる。このため、符号間干渉を生じさせることなく、読取信号の高域強調を行うことができる。【００１８】
このように、本実施形態に係る情報再生装置によれば、より良好に振幅制限を行いながら波形等化を行うことができる。【００１９】
本発明の情報再生装置に係る実施形態の一の態様は、前記調整手段は、前記基準レベルが、ランレングスの最も短い記録データを読み取った際に得られる読取信号の信号レベルの中央値となるように、前記基準レベルを調整する。【００２０】
この態様によれば、例えばデフォールトで定まる基準レベルが、ランレングスの最も短い記録データを読み取った際に得られる読取信号の信号レベルの中央値からずれている場合であっても、基準レベルがランレングスの最も短い記録データを読み取った際に得られる読取信号の信号レベルの中央値となるように、基準レベルを調整することができる。従って、より良好に振幅制限を行いながら波形等化を行うことができる。【００２１】
本発明の情報再生装置に係る実施形態の他の態様は、前記調整手段は、前記読取信号のアシンメトリ値、β値及び波形歪み量の少なくとも一つに基づいて、前記基準レベルを調整する。【００２２】
この態様によれば、ランレングスが異なる各記録データを読み取った際に得られる各読取信号の振幅ずれ又は振幅中心ずれ等の影響を考慮して、基準レベルを調整することができる。つまり、実際に発生しているアシンメトリ値やβ値や波形歪み量に応じて基準レベルを調整することで、より最適な基準レベルを用いて振幅制限や高域調整を行うことができる。【００２３】
上述の如くアシンメトリ値、β値及び波形歪み量の少なくとも一つに基づいて基準レベルを調整する情報再生装置の態様では、前記調整手段は、前記アシンメトリ値、前記β値及び波形歪み量の少なくとも一つに応じて設定されるオフセット値を加算することで前記基準レベルを調整するように構成してもよい。【００２４】
このように構成すれば、例えばデフォールトで定まる基準レベルに対して、実際に発生しているアシンメトリ値やβ値や波形歪み量に応じて設定されるオフセット値を加算することで、好適に且つ比較的容易に基準レベルを調整することができる。【００２５】
上述の如くアシンメトリ値、β値及び波形歪み量の少なくとも一つに基づいて基準レベルを調整する情報再生装置の態様では、前記調整手段は、前記基準レベルが前記波形歪みと交わらなくなるように、前記基準レベルを調整するように構成してもよい。【００２６】
このように構成すれば、後に詳述するように、波形歪みの影響によって振幅制限を好適に行うことができなくなってしまう不都合を好適に防ぐことができる。つまり、波形歪みの影響を排除して振幅制限や高域強調を行うことができる。【００２７】
上述の如くアシンメトリ値、β値及び波形歪み量の少なくとも一つに基づいて基準レベルを調整する情報再生装置の態様では、前記調整手段は、前記振幅制限値の上限及び下限の少なくとも一方が前記波形歪みと交わらなくなるように、前記基準レベルを調整するように構成してもよい。【００２８】
このように構成すれば、後に詳述するように、波形歪みの影響によって振幅制限を好適に行うことができなくなってしまう不都合を好適に防ぐことができる。つまり、波形歪みの影響を排除して振幅制限や高域強調を行うことができる。【００２９】
上述の如くアシンメトリ値、β値及び波形歪み量の少なくとも一つに基づいて基準レベルを調整する情報再生装置の態様では、前記調整手段は、前記波形歪みが発生している側とは反対の側へ前記基準レベルがシフトするように、前記基準レベルを調整するように構成してもよい。【００３０】
このように構成すれば、後に詳述するように、波形歪みの影響によって振幅制限を好適に行うことができない不都合を好適に防ぐことができる。つまり、波形歪みの影響を排除して振幅制限や高域強調を行うことができる。【００３１】
上述の如くアシンメトリ値、β値及び波形歪み量の少なくとも一つに基づいて基準レベルを調整する情報再生装置の態様では、前記調整手段は、記録データのうちユーザデータに相当する読取信号の振幅レベルを制限する場合における前記基準レベルを、前記ユーザデータに相当する読取信号の波形歪み量に応じて調整し、前記記録データのうち前記ユーザデータを再生する際の同期を取るために用いられる同期データに相当する読取信号の振幅レベルを制限する場合における前記基準レベルを、前記同期データに相当する読取信号の波形歪み量に応じて調整するように構成してもよい。【００３２】
このように構成すれば、記録データを再生する際に重要な同期データに相当する読取信号に対しても、波形歪みの影響を排除することができる。【００３３】
尚、前記調整手段は、ユーザデータに相当する読取信号及び同期データに相当する読取信号の夫々の振幅レベルを制限する場合における前記基準レベルを、前記同期データに相当する読取信号の波形歪みに応じて調整するように構成してもよい。【００３４】
本発明の情報再生装置に係る実施形態の他の態様は、前記調整手段は、読取エラーが生じた場合に、前記基準レベルを調整する。【００３５】
この態様によれば、基準レベルの調整によって読取エラーを回避し、その結果、好適な読取動作（つまり、再生動作）を維持することができる。【００３６】
（情報再生方法の実施形態）
本発明の情報再生方法に係る実施形態は、記録媒体から読み取られた読取信号の振幅レベルを所定の振幅制限値にて制限して振幅制限信号を取得する振幅制限工程と、前記振幅制限信号に対して高域強調フィルタリング処理を行うことで等化補正信号を取得するフィルタリング工程と、前記振幅制限工程における前記振幅レベルの基準点を示す基準レベルを可変に調整する調整工程とを備える。【００３７】
本発明の情報再生方法に係る実施形態によれば、上述した本発明の情報再生装置に係る実施形態が享受することができる各種効果と同様の効果を享受することができる。【００３８】
尚、上述した本発明の情報再生装置に係る実施形態における各種態様に対応して、本発明の情報再生方法に係る実施形態も各種態様を採ることが可能である。【００３９】
（コンピュータプログラムの実施形態）
本発明のコンピュータプログラムに係る実施形態は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段と、前記振幅制限手段における前記振幅レベルの基準点を示す基準レベルを可変に調整する調整手段とを備える情報再生装置（即ち、上述した本発明の情報再生装置に係る実施形態（但し、その各種態様を含む））に備えられたコンピュータを制御する再生制御用のコンピュータプログラムであって、該コンピュータを、前記振幅制限手段、前記フィルタリング手段及び前記調整手段の少なくとも一部として機能させる。【００４０】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００４１】
尚、上述した本発明の情報再生装置に係る実施形態における各種態様に対応して、本発明のコンピュータプログラムに係る実施形態も各種態様を採ることが可能である。【００４２】
本発明のコンピュータプログラム製品に係る実施形態は、記録媒体から読み取られた読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段と、前記振幅制限手段における前記振幅レベルの基準点を示す基準レベルを可変に調整する調整手段とを備える情報再生装置（即ち、上述した本発明の情報再生装置に係る実施形態（但し、その各種態様を含む））に備えられたコンピュータにより実行可能なプログラム命令を明白に具現化し、該コンピュータを、前記振幅制限手段、前記フィルタリング手段及び前記調整手段のうち少なくとも一部として機能させる。【００４３】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置に係る実施形態を比較的容易に実施可能となる。更に具体的には、当該コンピュータプログラム製品は、上述した本発明の情報再生装置に係る実施形態として機能させるコンピュータ読取可能なコード（或いはコンピュータ読取可能な命令）から構成されてよい。【００４４】
尚、上述した本発明の情報再生装置に係る実施形態における各種態様に対応して、本発明のコンピュータプログラム製品に係る実施形態も各種態様を採ることが可能である。【００４５】
本実施形態のこのような作用及び他の利得は次に説明する実施例から更に明らかにされよう。【００４６】
以上説明したように、本発明の情報再生装置に係る実施形態によれば、振幅制限手段と、フィルタリング手段と、調整手段とを備える。本発明の情報再生方法に係る実施形態によれば、振幅制限工程と、フィルタリング工程と、調整工程とを備える。本発明のコンピュータプログラムに係る実施形態によれば、コンピュータを本発明の情報再生装置に係る実施形態として機能させる。従って、より良好に振幅制限を行いながら波形等化を行うことができる。
【実施例】
【００４７】
以下、本発明の実施例を図面に基づいて説明する。【００４８】
（１）  基本原理
初めに、図１を参照して、本発明の情報再生装置に係る実施例について説明を進める。ここに、図１は、本実施例に係る情報再生装置の基本構成を概念的に示すブロック図である。【００４９】
図１に示すように、本実施例に係る情報再生装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、リミットイコライザ（Limit Equalizer）１５と、２値化回路１６と、復号回路１７と、オフセット算出回路１８と、加算器１９とを備えている。【００５０】
ピックアップ１１は、スピンドルモータ１０によって回転する光ディスク１００の記録面にレーザ光ＬＢを照射した際の反射光を光電変換して読取信号ＲＲＦを生成する。【００５１】
ＨＰＦ１２は、ピックアップより出力される読取信号ＲＲＦの低域成分を除去し、その結果得られる読取信号ＲＨＣをＡ／Ｄ変換器１３へ出力する。【００５２】
Ａ／Ｄ変換器１３は、不図示のＰＬＬ（Phased Lock Loop）等から出力されるサンプリングクロックに応じて読取信号をサンプリングし、その結果得られる読取サンプル値系列ＲＳをプリイコライザ１４へ出力する。【００５３】
プリイコライザ１４は、ピックアップ１１及び光ディスク１００から構成される情報読取系の伝送特性に基づく符号間干渉を除去し、その結果得られる読取サンプル値系列ＲＳＣをリミットイコライザ１５及びオフセット算出回路１８へ出力する。【００５４】
オフセット算出回路１８は、本発明における「調整手段」の一具体例を構成しており、読取サンプル値系列ＲＳＣに基づいて、読取サンプル値系列ＲＳＣに加算すべきオフセット値ＯＦＳを算出する。算出されたオフセット値ＯＦＳは、加算器１９において、読取サンプル値系列ＲＳＣに加算される。その結果、読取サンプル値系列ＲＳＣＯＦＳが生成される。【００５５】
尚、オフセット算出回路１８において算出されたオフセット値ＯＦＳは、リミットイコライザ１５におけるゼロレベルを調整する（言い換えれば、所望の値に変更する又は設定する）ために、読取サンプル値系列ＲＳＣに加算される。このとき、ゼロレベルが、ランレングスが最も短い記録マークに対応する読取信号ＲＲＦの振幅中心に位置するように、オフセット算出回路１８において、適切なオフセット値ＯＦＳが算出される。尚、オフセット値ＯＦＳの算出動作については、後に詳述する（図７以降参照）。【００５６】
リミットイコライザ１５は、符号間干渉を増加させることなく読取サンプル値系列ＲＳＣＯＦＳに対して高域強調処理を施し、その結果得られる高域強調読取サンプル値系列ＲＳＨを、２値化回路１６へ出力する。【００５７】
２値化回路１６は、高域強調読取サンプル値系列ＲＳＨに対して２値化処理を行い、その結果得られる２値化信号を復号回路１７へ出力する。【００５８】
復号回路１７は、２値化信号に対して復号処理等を行い、その結果得られる再生信号を、ディスプレイやスピーカ等の外部再生機器へ出力する。その結果、光ディスク１００に記録された記録データ（例えば、映像データや音声データ等）が再生される。【００５９】
続いて、図２を参照して、リミットイコライザ１５のより詳細な構成について説明する。ここに、図２は、本実施例に係るリミットイコライザ１５の構成を概念的に示すブロック図である。【００６０】
図２に示すように、リミットイコライザ１５は、本発明における「振幅制限手段」の一具体例を構成する振幅制限値設定ブロック１５１と、本発明における「振幅制限手段」の一具体例を構成する振幅制限ブロック１５２と、本発明における「フィルタリング手段」の一具体例を構成する高域強調ブロック１５３とを備えている。【００６１】
振幅制限値設定ブロック１５１は、読取サンプル値系列ＲＳＣに基づいて、振幅制限ブロック１５２において用いられる振幅制限値の上限及び下限を設定する。振幅制限ブロック１５２は、振幅制限値設定ブロック１５１において設定された振幅制限値の上限及び下限に基づいて、読取サンプル値系列ＲＳＣの振幅制限処理を行う。振幅制限処理が行われたサンプル値系列ＲＳＬＩＭは、高域強調ブロック１５３へ出力される。高域強調ブロック１５３は、振幅制限処理が行われたサンプル値系列ＲＳＬＩＭに対して、高域を強調するためのフィルタリング処理を行う。その結果、高域強調読取サンプル値系列ＲＳＨが得られる。【００６２】
より具体的には、リファレンスサンプルタイミング検出回路１５１１により、読取サンプル値系列ＲＳＣに基づいて、リファレンスサンプルタイミングが検出される。検出されたリファレンスサンプルタイミングは、１クロックの遅延を付与する遅延器１５１２及びＯＲ回路１５１３を介してサンプルホールド回路１５１４へ出力される。サンプルホールド回路１５１４においては、遅延器１５１２及びＯＲ回路１５１３を介して出力されるリファレンスサンプルタイミングに応じて、補間フィルタ１５２２より出力されるサンプル値系列ＲＳＰがサンプルホールドされる。【００６３】
尚、補間フィルタ１５２２は、読取サンプル値系列ＲＳＣに対して補間演算処理を施すことにより、光ディスク１００から読み取られた読取信号ＲＲＦを、Ａ／Ｄ変換器１４において用いられるサンプリングクロックによるクロックタイミングの中間タイミングでサンプリングした際に得られる補間サンプル値系列を生成する。生成された補間サンプル値系列は、読取サンプル値系列ＲＳＣに含められて、サンプル値系列ＲＳＰとして、リミッタ１５２３及びサンプルホールド回路１５１４へ出力される。【００６４】
サンプルホールドされた読取サンプル値系列ＲＳＰは、減算器１５１５においてリファレンスレベルＲｆが減算される。但し、リファレンスレベルＲｆとしてゼロレベルを用いている場合は、Ｒｆ＝０となる。減算結果は、平均化回路１５１６へ出力される。平均化回路１５１６においては、サンプル値の平均値が算出される。算出されたサンプル値の平均値は、振幅制限値の上限及び下限として設定される。具体的には、リファレンスレベルに平均値を加算した値が、振幅制限値の上限、減算した値が振幅制限値の下限として設定される。リファレンスレベルとしてゼロレベルを用いている場合は、算出されたサンプル値の平均値に正の符号を付した値を振幅制限値の上限として設定し、算出されたサンプル値の平均値に負の符号を付した値を振幅制限値の下限として設定する。以下の説明では、説明の簡略化のために、リファレンスレベルＲｆとしてゼロレベルを用いた構成を説明する。【００６５】
具体的に、図３を参照して、振幅制限値設定ブロック１５１において設定される振幅制限値の上限及び下限について説明する。ここに、図３は、振幅制限値の上限及び下限の設定動作を、サンプル値系列ＲＳＣ上で概念的に示す波形図である。【００６６】
図３には、読取信号のうち、ランレングスが相対的に短い記録データ（具体的には、光ディスク１００がＢｌｕ−ｒａｙ  Ｄｉｓｃである場合においては、ランレングスが２Ｔ、３Ｔ及び４Ｔの記録データ）を読み取った際に得られる読取信号ＲＲＦとそのサンプル値系列ＲＳＣを示す。図３に示すように、ゼロクロス点の前（つまり、時間的に前）に位置する補間サンプル値（つまり、補間フィルタ１５２２において生成されたサンプル値）と、ゼロクロス点の後（つまり、時間的に後）に位置する補間サンプル値の平均値Ｌが、振幅制限値の上限及び下限の絶対値として設定される。つまり、振幅制限値の上限はＬと設定され、振幅制限値の下限が−Ｌと設定される。【００６７】
再び図２において、リミッタ１５２３は、振幅制限値設定ブロック１５１において設定された上限及び下限に基づいて、サンプル値系列ＲＳＰに対して振幅制限を行う。具体的には、サンプル値系列ＲＳＰに含まれるサンプル値が、上限Ｌよりも小さく且つ下限−Ｌよりも大きい場合には、そのサンプル値をそのままサンプル値系列ＲＳＬＩＭとして出力する。一方、サンプル値系列ＲＳＰに含まれるサンプル値が、上限Ｌ以上である場合には、上限Ｌをサンプル値系列ＲＳＬＩＭとして出力する。他方、サンプル値系列ＲＳＰに含まれるサンプル値が、下限−Ｌ以下である場合には、下限−Ｌをサンプル値系列ＲＳＬＩＭとして出力する。【００６８】
高域強調ブロック１５３においては、サンプル値系列ＲＳＬＩＭ中における最もランレングスが短い記録データ（例えば、光ディスク１００がＤＶＤであればランレングス３Ｔの記録データであり、光ディスク１００がＢｌｕ−ｒａｙ  Ｄｉｓｃであればランレングス２Ｔの記録データ）に対応するサンプル値系列ＲＳＬＩＭのみ、その信号レベルを増大させる。【００６９】
具体的には、高域強調ブロック１５３へ入力されるサンプル値系列ＲＳＬＩＭは、そのまま又は１クロックの遅延を付加する遅延器１５３２、１５３３及び１５３４を介して、乗算係数−ｋを有する係数乗算器１５３５及び１５３８、並びに乗算係数ｋを有する係数乗算器１５３６及び１５３７へ入力される。係数乗算器１５３６、１５３６、１５３７及び１５３８の出力は、加算器１５３９において加算される。その加算結果である高域読取サンプル値ＲＳＨＩＧは、加算器１５３１において、３クロックの遅延を付加する遅延器１５３０を介して加算器１５３１に入力される読取サンプル値系列ＲＳＣと加算される。その結果、高域強調読取サンプル値系列ＲＳＨが得られる。【００７０】
ここで、図４を参照して、高域強調読取サンプル値系列ＲＳＨの取得動作についてより詳細に説明する。ここに、図４は、高域強調読取サンプル値系列ＲＳＨの取得動作を、サンプル値系列ＲＳＣ上で概念的に示す波形図である。【００７１】
図４（ａ）に示すように、加算器１５３１から出力される高域読取サンプル値ＲＳＨＩＧは、サンプル値系列ＲＳＬＩＭ中における時点Ｄ（−１．５）、Ｄ（−０．５）、Ｄ（０．５）及びＤ（１．５）の夫々でのサンプル値に基づいて算出される。具体的には、サンプル値系列ＲＳＬＩＭ中における時点Ｄ（−１．５）、Ｄ（−０．５）、Ｄ（０．５）及びＤ（１．５）の夫々でのサンプル値を、Ｓｉｐ（−１）、Ｓｉｐ（０）、Ｓｉｐ（１）及びＳｉｐ（２）とすると、ＲＳＨＩＧ＝（−ｋ）×Ｓｉｐ（−１）＋ｋ×Ｓｉｐ（０）＋ｋ×Ｓｉｐ（１）＋（−ｋ）×Ｓｉｐ（２）となる。【００７２】
このとき、図４（ｂ）に示すように、ランレングス２Ｔの記録データに対応する時点Ｄ（−１．５）及びＤ（−０．５）におけるサンプル値Ｓｉｐ（−１）及びＳｉｐ（０）は、互いに略同一となる。また、ランレングス２Ｔの記録データに対応する時点Ｄ（０．５）及びＤ（１．５）におけるサンプル値Ｓｉｐ（１）及びＳｉｐ（２）は、互いに略同一となる。【００７３】
また、図４（ｃ）に示すように、ランレングス３Ｔ及び４Ｔの夫々の記録データに対応する時点Ｄ（−１．５）及びＤ（−０．５）におけるサンプル値Ｓｉｐ（−１）及びＳｉｐ（０）は、振幅制限ブロック１５２による振幅制限により、共に振幅制限値の上限Ｌとなる。同様に、ランレングス３Ｔ及び４Ｔの夫々の記録データに対応する時点Ｄ（０．５）及びＤ（１．５）におけるサンプル値Ｓｉｐ（１）及びＳｉｐ（２）は、振幅制限ブロック１５２による振幅制限により、共に振幅制限値の下限−Ｌとなる。つまり、リファレンスサンプル点前後のサンプル値のばらつきが強制的に抑制される。【００７４】
このため、高域強調を強くかけるために、係数乗算器１５３６、１５３６、１５３７及び１５３８の係数ｋの値を大きくしても、ゼロクロス点Ｄ（０）において得られる高域読取サンプル値ＲＳＨＩＧは一定値に維持される。従って、符号間干渉は生じない。【００７５】
以上説明したように、本実施例に係る情報再生装置１によれば、高域強調した際に、符号間干渉が生ずる原因となるところの読取信号中におけるゼロクロス点前後のサンプル値のばらつきが強制的に抑えられる。このため、高域強調ブロック１５３において十分な高域強調を行っても符号間干渉が生ずることはない。【００７６】
特に、本実施例に係る情報再生装置１によれば、読取サンプル値系列ＲＳＣにオフセット値ＯＦＳを加算することで、ゼロレベルを調整することができる。このため、後述するようにアシンメトリが発生している場合や、β値がゼロでない場合や、波形歪みが発生している場合等においても、アシンメトリやβ値や波形歪みの影響を排除して振幅制限及び高域強調を好適に行うことができる。【００７７】
このような効果について、図５及び図６を参照してより詳細に説明する。ここに、図５は、アシンメトリが発生している場合における、サンプル値系列ＲＳＣ並びにゼロレベルを概念的に示す波形図であり、図６は、アシンメトリ対ジッタ値の相関関係を概念的に示すグラフである。【００７８】
図５（ａ）に示すように、読取信号ＲＲＦにアシンメトリが発生しているとする。具体的には、ランレングスが最も短い記録マークに対応する読取信号ＲＲＦの振幅中心がゼロレベルよりも小さくなるようなアシンメトリが発生しているとする。ここで、オフセット値ＯＦＳを読取サンプル値系列ＲＳＣに加算することなくゼロレベルが設定されるとすると、ゼロレベルは、読取信号ＲＲＦのβ値（つまり、読取信号ＲＲＦの振幅中心の平均位置）に設定される。このため、ゼロレベルが、ランレングスが２Ｔである記録マークに対応する読取信号ＲＲＦの振幅中心からずれてしまう。また、サンプル値Ｓｉｐ（１）とサンプル値Ｓｉｐ（２）とは、振幅制限されても同一の値にはならず、その結果、符号間干渉が発生してしまう。【００７９】
他方で、図５（ｂ）に示すように、読取サンプル値系列ＲＳＣに、例えばゼロレベルを正の方向へシフトさせるオフセット値ＯＦＳが加算すれば、ランレングスが２Ｔである記録マークに対応する読取信号ＲＲＦの振幅中心とゼロレベルとのずれはさらに大きくなるが、サンプル値Ｓｉｐ（１）とサンプル値Ｓｉｐ（２）とは、振幅制限により同一の値になる。これにより、再生特性を悪化させることなく、リミットイコライザ１５における高域強調を行うことができる
このような本実施例に係る情報再生装置１の効果は、ジッタ値からも分かる。図６に示すように、ゼロレベルにオフセット値ＯＦＳを加算する場合（つまり、ゼロレベルが調整される場合）には、ゼロレベルが一義的に固定される場合（つまり、ゼロレベルが調整されない場合）と比較して、ジッタが改善されていることが分かる。つまり、ゼロレベルにオフセット値ＯＦＳを加算することで、アシンメトリに対する許容マージンを拡大することができる。【００８０】
このように、本実施例に係る情報再生装置１によれば、上述した背景技術に開示された技術（つまり、オフセット値ＯＦＳを読取サンプル値系列ＲＳＣに加算することなくゼロレベルが設定される技術であって、より具体的には、読取信号ＲＲＦのβ値ゼロレベルが固定的に設定される技術）と比較しても、高域強調をより好適に行うことができる。【００８１】
（２）  オフセット値ＯＦＳの算出動作
続いて、図７から図２１を参照して、オフセット値ＯＦＳの算出動作について説明を進める。【００８２】
（２−１）β値に基づくオフセット値ＯＦＳの算出
初めに、図７から図１０を参照して、β値に基づくオフセット値ＯＦＳの算出動作について説明する。ここに、図７は、β値を概念的に示す波形図であり、図８は、β値に基づくオフセット値ＯＦＳを算出するオフセット算出回路１８ａの構成を概念的に示すブロック図であり、図９は、β値に基づくオフセット値ＯＦＳを算出する場合の、本実施例に係る情報再生装置１の一の動作の流れを概念的に示すフローチャートであり、図１０は、β値に基づくオフセット値ＯＦＳを算出する場合の、本実施例に係る情報再生装置１の他の動作の流れを概念的に示すフローチャートである。【００８３】
図７に示すように、β値は、全ての種類のランレングスの記録データ（例えば、光ディスク１００がＤＶＤであればランレングス３Ｔから１１Ｔ及び１４Ｔの夫々の記録データであり、光ディスク１００がＢｌｕ−ｒａｙ  Ｄｉｓｃであればランレングス２Ｔから９Ｔの記録データ）に対応する夫々の読取信号ＲＲＦの振幅中心の平均位置を示す。具体的には、全ての種類のランレングスの記録データに対応する読取信号ＲＲＦの振幅中心（つまり、全Ｔセンターレベル）を基準とする（つまり、原点又は基点とする）上側（正側）の最大振幅（トップ振幅）の大きさをＡ１とし、全ての種類のランレングスの記録データに対応する読取信号ＲＲＦの振幅中心を基準とする下側（負側）の最大振幅（ボトム振幅）の大きさをＡ２とすると、β＝（Ａ１＋Ａ２）／（Ａ１−Ａ２）にて示される。【００８４】
図８に示すように、オフセット算出回路１８ａは、Ｔｍｉｎ＋４トップ振幅検出回路１８１ａと、Ｔｍｉｎ＋４ボトム振幅検出回路１８２ａと、加算器１８３ａと、増幅器１８４ａとを備えている。Ｔｍｉｎ＋４トップ振幅検出回路１８１ａにおいて検出されるトップ振幅と、Ｔｍｉｎ＋４ボトム振幅検出回路１８２ａにおいて検出されるボトム振幅との和が、加算器１８３ａにおいて加算される。加算器１８３ａの出力がβ値となる。そして、実際にリミッタ１５２３へ出力されるオフセット値ＯＦＳは、増幅器１８４ａにおいて−１倍に増幅された、全振幅で正規化されないβ値（つまり、−β）となる。【００８５】
尚、Ｔｍｉｎは、ランレングスが最も短い記録データに対応する読取信号ＲＲＦ（より具体的には、該読取信号ＲＲＦに対応する読取サンプル値系列ＲＳＣ）を示している。従って、Ｔｍｉｎ＋４は、ランレングスが５番目に短い記録データに対応する読取信号ＲＲＦを示している。例えば、光ディスク１００がＤＶＤであれば、Ｔｍｉｎ＋４は、ランレングスが７Ｔの記録データに対応する読取信号ＲＲＦを示している。例えば、光ディスク１００がＢｌｕ−ｒａｙ  Ｄｉｓｃであれば、Ｔｍｉｎ＋４は、ランレングスが６Ｔの記録データに対応する読取信号ＲＲＦを示している。【００８６】
但し、ここでは、全てのランレングスを簡略的に示すために（つまり、計算の便宜のために）Ｔｍｉｎ＋４を用いている。このため、全てのＴに対して同様の処理（つまり、トップ振幅とボトム振幅との和の算出処理）を行い、それらの平均値をβ値としてもよいことは言うまでもない。【００８７】
このようにして算出されるオフセット値ＯＦＳは、再生動作中に随時加算されてもよい。具体的には、図９に示すように、再生動作が行われている際に（ステップＳ１０１）、適宜再生動作を終了するか否かが判定される（ステップＳ１０２）。【００８８】
ステップＳ１０２における判定の結果、再生動作を終了すると判定された場合には（ステップＳ１０２：Ｙｅｓ）、そのまま再生動作を終了する。【００８９】
他方、ステップＳ１０２における判定の結果、再生動作を終了しないと判定された場合には（ステップＳ１０２：Ｎｏ）、続いて、１データブロックの再生が新たに開始されるか否かが判定される（ステップＳ１０３）。【００９０】
ステップＳ１０３における判定の結果、１データブロックの再生が新たに開始されない（つまり、それまでのデータブロックの再生を継続する）と判定された場合には（ステップＳ１０３：Ｎｏ）、ステップＳ１０１へ戻り、再生動作を継続する。【００９１】
他方、ステップＳ１０３における判定の結果、１データブロックの再生が新たに開始されると判定された場合には（ステップＳ１０３：Ｙｅｓ）、続いて、オフセット算出回路１８ａの動作によりβ値が算出される（ステップＳ１０４）。その後、β値に応じたオフセット値ＯＦＳが読取サンプル値系列ＲＳＣに加算される（ステップＳ１０５）。【００９２】
或いは、オフセット値ＯＦＳは、再生動作中に再生エラーが生じた場合に加算されてもよい。具体的には、図１０に示すように、再生動作が行われている際に（ステップＳ１０１）、適宜再生動作を終了するか否かが判定される（ステップＳ１０２）。【００９３】
ステップＳ１０２における判定の結果、再生動作を終了すると判定された場合には（ステップＳ１０２：Ｙｅｓ）、そのまま再生動作を終了する。【００９４】
他方、ステップＳ１０２における判定の結果、再生動作を終了しないと判定された場合には（ステップＳ１０２：Ｎｏ）、続いて、ＳＥＲ（Symbol Error Rate）の値が正常であるか否かが判定される（ステップＳ１１１）。【００９５】
ステップＳ１１１における判定の結果、ＳＥＲの値が正常であると判定された場合には（ステップＳ１１１：Ｙｅｓ）、ステップＳ１０１へ戻り、再生動作を継続する。【００９６】
他方、ステップＳ１１１における判定の結果、ＳＥＲの値が正常でないと判定された場合には（ステップＳ１１１：Ｎｏ）、続いて、オフセット算出回路１８ａの動作によりβ値が算出される（ステップＳ１０４）。その後、β値に応じたオフセット値ＯＦＳが読取サンプル値系列ＲＳＣに加算される（ステップＳ１０５）。【００９７】
このように、β値に応じたオフセット値ＯＦＳを読取サンプル値系列ＲＳＣに加算することで、β値による影響（つまり、振幅中心のずれによる影響を）を排除しながら上述した各種効果を享受することができる。【００９８】
また、図７に示すβ値とは異なる視点から求められる別のβ値に基づいて、オフセット値ＯＦＳ１及びＯＦＳ２を算出するように構成してもよい。係る構成について、図１１及び図１２を参照して説明する。ここに、図１１は、別のβ値を概念的に示す波形図であり、図１２は、別のβ値を算出するオフセット算出ブロック１５４ｂの構成を概念的に示すブロック図である。【００９９】
図１１に示すように、別のβ値は、ランレングスが最も短い記録データに対応する読取信号ＲＦの振幅中心と、ランレングスが２番目に短い記録データに対応する読取信号ＲＦの振幅中心とのずれを示す。具体的には、ランレングスが最も短い記録データに対応する読取信号の振幅中心をＩｍｉｎＣｎｔとし、ＩｍｉｎＣｎｔを基準とするランレングスが２番目に短い記録データに対応する読取信号ＲＲＦのトップ振幅の大きさをＩｍｉｎ＋１Ｈとし、ＩｍｉｎＣｎｔを基準とするランレングスが２番目に短い記録データに対応する読取信号ＲＲＦのボトム振幅の大きさをＩｍｉｎ＋１Ｌとすると、別のβ値＝（Ｉｍｉｎ＋１Ｈ＋Ｉｍｉｎ＋１Ｌ）／（Ｉｍｉｎ＋１Ｈ−Ｉｍｉｎ＋１Ｌ）にて示される。尚、ＩｍｉｎＣｎｔは、ランレングスが最も短い記録データに対応する読取信号ＲＲＦのトップ振幅値ＩｍｉｎＨとボトム振幅値ＩｍｉｎＬとの平均値である。【０１００】
図１２に示すように、オフセット算出回路１８ｅは、Ｔｍｉｎトップ振幅検出回路１８１ｅと、Ｔｍｉｎボトム振幅検出回路１８２ｅと、Ｔｍｉｎ＋１トップ振幅検出回路１８３ｅと、Ｔｍｉｎ＋１ボトム振幅検出回路１８４ｅと、加算器１８５ｅ及び１８６ｅと、減算器１８７ｂと、増幅器１８８ｅと、増幅器１８９ｅとを備えている。Ｔｍｉｎトップ振幅検出回路１８１ｅにおいて検出されるトップ振幅及びＴｍｉｎボトム振幅検出回路１８２ｅにおいて検出されるボトム振幅の和が増幅器１８８ｅにおいて１／２に増幅された値と、Ｔｍｉｎ＋１トップ振幅検出回路１８３ｅにおいて検出されるトップ振幅及びＴｍｉｎ＋１ボトム振幅検出回路１８４ｅにおいて検出されるボトム振幅の和との差分が、差分器１８７ｅにおいて算出される。差分器１８７ｅの出力がＴｍｉｎ＋１の振幅で正規化されない別のβ値となる。そして、増幅器１８９ｅにおいて−１倍に増幅された別のβ値（つまり、−β）が、実際にリミッタ１５２３へ出力されるオフセット値ＯＦＳとなる。【０１０１】
（２−２）アシンメトリ値に基づくオフセット値ＯＦＳの算出
続いて、図１３から図１６を参照して、アシンメトリ値に基づくオフセット値ＯＦＳの算出動作について説明する。ここに、図１３は、アシンメトリ値を概念的に示す波形図であり、図１４は、アシンメトリ値に基づくオフセット値ＯＦＳを算出するオフセット算出回路１８ｂの構成を概念的に示すブロック図であり、図１５は、アシンメトリ値に基づくオフセット値ＯＦＳを算出する場合の、本実施例に係る情報再生装置１の一の動作の流れを概念的に示すフローチャートであり、図１６は、アシンメトリ値に基づくオフセット値ＯＦＳを算出する場合の、本実施例に係る情報再生装置１の他の動作の流れを概念的に示すフローチャートである。【０１０２】
図１３に示すように、アシンメトリ値は、ランレングスが最も長い記録データに対応する読取信号ＲＲＦの振幅中心に対する、ランレングスが最も短い記録データに対応する読取信号の振幅中心のずれを示す。具体的には、ランレングスが最も長い記録データに対応する読取信号ＲＲＦの振幅中心をＩｍａｘＣｎｔとし、ＩｍａｘＣｎｔを基準とするランレングスが最も長い記録データに対応する読取信号ＲＲＦのトップ振幅の大きさをＩｍａｘＨとし、ＩｍａｘＣｎｔを基準とするランレングスが最も長い記録データに対応する読取信号ＲＲＦのボトム振幅の大きさをＩｍａｘＬとし、ＩｍａｘＣｎｔを基準とするランレングスが最も短い記録データに対応する読取信号ＲＲＦのトップ振幅の大きさをＩｍｉｎＨとし、ＩｍａｘＣｎｔを基準とするランレングスが最も短い記録データに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ＋ＩｍａｘＬ））にて示される。尚、ＩｍａｘＣｎｔは、ランレングスが最も長い記録データに対応する読取信号ＲＲＦのトップ振幅値とボトム振幅値との平均値である。【０１０３】
図１４に示すように、オフセット算出回路１８ｂは、Ｔｍａｘトップ振幅検出回路１８１ｂと、Ｔｍａｘボトム振幅検出回路１８２ｂと、Ｔｍｉｎトップ振幅検出回路１８３ｂと、Ｔｍｉｎボトム振幅検出回路１８４ｂと、加算器１８５ｂ及び１８６ｂと、減算器１８７ｂと、増幅器１８８ｂと、増幅器１８９ｂとを備えている。Ｔｍａｘトップ振幅検出回路１８１ｂにおいて検出されるトップ振幅及びＴｍａｘボトム振幅検出回路１８２ｂにおいて検出されるボトム振幅との和と、Ｔｍｉｎトップ振幅検出回路１８３ｂにおいて検出されるトップ振幅及びＴｍｉｎボトム振幅検出回路１８４ｂにおいて検出されるボトム振幅との和との差分が、差分器１８７ｂにおいて算出される共に、差分器１８ｂ７ｃの出力が増幅器１８８ｂにおいて１／２にされる。増幅器１８８ｃの出力がアシンメトリ値Ａｓｙとなる。そして、実際にリミッタ１５２３へ出力されるオフセット値ＯＦＳは、増幅器１８９ｂにおいて−１倍に増幅されたアシンメトリ値Ａｓｙ（つまり、−Ａｓｙ）となる。【０１０４】
尚、Ｔｍａｘは、ランレングスが最も長い記録データに対応する読取信号ＲＲＦ（より具体的には、該読取信号ＲＲＦに対応する読取サンプル値系列ＲＳＣ）を示している。例えば、光ディスク１００がＤＶＤであれば、Ｔｍａｘは、ランレングスが１１Ｔの記録データに対応する読取信号ＲＲＦを示している。例えば、光ディスク１００がＢｌｕ−ｒａｙ  Ｄｉｓｃであれば、Ｔｍａｘは、ランレングスが８Ｔの記録データに対応する読取信号ＲＲＦを示している。【０１０５】
このようにして算出されるオフセット値ＯＦＳは、再生動作中に随時加算されてもよい。具体的には、図１５に示すように、再生動作が行われている際に（ステップＳ１０１）、適宜再生動作を終了するか否かが判定される（ステップＳ１０２）。【０１０６】
ステップＳ１０２における判定の結果、再生動作を終了すると判定された場合には（ステップＳ１０２：Ｙｅｓ）、そのまま再生動作を終了する。【０１０７】
他方、ステップＳ１０２における判定の結果、再生動作を終了しないと判定された場合には（ステップＳ１０２：Ｎｏ）、続いて、１データブロックの再生が新たに開始されるか否かが判定される（ステップＳ１０３）。【０１０８】
ステップＳ１０３における判定の結果、１データブロックの再生が新たに開始されない（つまり、それまでのデータブロックの再生を継続する）と判定された場合には（ステップＳ１０３：Ｎｏ）、ステップＳ１０１へ戻り、再生動作を継続する。【０１０９】
他方、ステップＳ１０３における判定の結果、１データブロックの再生が新たに開始されると判定された場合には（ステップＳ１０３：Ｙｅｓ）、続いて、オフセット算出回路１８ｂの動作によりアシンメトリ値Ａｓｙが算出される（ステップＳ１２１）。その後、アシンメトリ値に応じたオフセット値ＯＦＳが読取サンプル値系列ＲＳＣに加算される（ステップＳ１０５）。【０１１０】
或いは、オフセット値ＯＦＳは、再生動作中に再生エラーが生じた場合に加算されてもよい。具体的には、図１６に示すように、再生動作が行われている際に（ステップＳ１０１）、適宜再生動作を終了するか否かが判定される（ステップＳ１０２）。【０１１１】
ステップＳ１０２における判定の結果、再生動作を終了すると判定された場合には（ステップＳ１０２：Ｙｅｓ）、そのまま再生動作を終了する。【０１１２】
他方、ステップＳ１０２における判定の結果、再生動作を終了しないと判定された場合には（ステップＳ１０２：Ｎｏ）、続いて、ＳＥＲ（Symbol Error Rate）の値が正常であるか否かが判定される（ステップＳ１１１）。【０１１３】
ステップＳ１１１における判定の結果、ＳＥＲの値が正常であると判定された場合には（ステップＳ１１１：Ｙｅｓ）、ステップＳ１０１へ戻り、再生動作を継続する。【０１１４】
他方、ステップＳ１１１における判定の結果、ＳＥＲの値が正常でないと判定された場合には（ステップＳ１１１：Ｎｏ）、続いて、オフセット算出回路１５４ｃの動作によりアシンメトリ値Ａｓｙが算出される（ステップＳ１２１）。その後、アシンメトリ値に応じたオフセット値ＯＦＳが読取サンプル値系列ＲＳＣに加算される（ステップＳ１０５）。【０１１５】
このように、アシンメトリ値Ａｓｙに応じたオフセット値ＯＦＳを読取サンプル値系列ＲＳＣに加算することで、アシンメトリによる影響（つまり、振幅中心のずれによる影響を）を排除しながら上述した各種効果を享受することができる。【０１１６】
（２−３）波形歪み量に基づくオフセット値ＯＦＳの算出
続いて、図１７から図２１を参照して、波形歪みに基づくオフセット値ＯＦＳの算出動作について説明する。ここに、図１７は、波形歪みを概念的に示す波形図であり、図１８は、波形歪みに基づくオフセット値ＯＦＳを算出するオフセット算出回路１８ｃの構成を概念的に示すブロック図であり、図１９は、波形歪みを概念的に示す波形図であり、図２０は、波形歪みに基づくオフセット値ＯＦＳを算出する場合の、本実施例に係る情報再生装置１の一の動作の流れを概念的に示すフローチャートであり、図２１は、波形歪みに基づくオフセット値ＯＦＳを算出する場合の、本実施例に係る情報再生装置１の他の動作の流れを概念的に示すフローチャートである。【０１１７】
図１７（ａ）に示すように、波形歪みは、本来とるべき信号レベルと実際に読取信号ＲＲＦに現れた信号レベルとの差を示す。この波形歪みは、読取信号ＲＲＦの最大振幅Ａに対する歪み量Ｄ及びゼロレベルから波形歪みの頂点までの信号レベルである波形歪み量Ｄ’で定量的に定義される。図１７（ａ）において、太い点線は、波形歪みが発生していないときに本来とるべき信号レベルを示している。波形歪みが発生していない場合には、当然に波形歪み量Ｄはゼロである。【０１１８】
尚、図１７（ａ）に示す波形歪みは、読取信号ＲＲＦの前端部及び後端部の信号レベルと比較して、中間部の信号レベルが変化してしまった波形歪みを示している。このような波形歪み以外にも、図１７（ｂ）に示すように、読取信号ＲＲＦの後端部の信号レベルと比較して、前端部及び中間部の信号レベルが変化してしまった波形歪みや、図１７（ｃ）に示すように、読取信号ＲＲＦの前端部の信号レベルと比較して、中間部及び後端部の信号レベルが変化してしまった波形歪みも存在しえる。いずれの波形歪みを対象としていても、後述する構成及び動作を採用することができることは言うまでもない。【０１１９】
また、本実施例においては、ランレングスが相対的に長い記録マーク（例えば、光ディスク１００がＤＶＤであればランレングス１１Ｔの記録データであり、光ディスク１００がＢｌｕ−ｒａｙ  Ｄｉｓｃであればランレングス８Ｔの記録データ）に対応する読取信号に発生する波形歪みに着目することが好ましい。【０１２０】
図１８に示すように、オフセット算出回路１８ｃは、リファレンスサンプルタイミング検出回路１８１ｃと、Ｔｍａｘ検出回路１８２ｃと、２クロックの遅延を付与する遅延回路１８３ｃと、夫々が１クロックの遅延を付与する複数の遅延回路１８４ｃと、最大値検出回路１８５ｃと、サンプルホールド回路１８６ｃと、リミッタ１８７ｃとを備える。【０１２１】
オフセット算出回路１８ｃに入力される読取サンプル値系列ＲＳＣは、リファレンスサンプルタイミング検出回路１８１ｃと、遅延回路１８３ｃの夫々に出力される。リファレンスサンプルタイミング検出回路１８１ｃにおいては、読取サンプル値系列ＲＳＣに基づいて、リファレンスサンプルタイミングが検出される。検出されたリファレンスサンプルタイミングは、Ｔｍａｘ検出回路１８２ｃにおけるＴｍａｘの検出動作（具体的には、Ｔｍａｘに対応するサンプル値の検出動作）に用いられる。Ｔｍａｘ検出回路１８２ｃにおいて検出されたＴｍａｘは、サンプルホールド回路１８６ｃへ出力される。他方、遅延回路１８３ｃにおいては、２クロックの遅延が読取サンプル値系列ＲＳＣに付与される。その後、読取サンプル値系列ＲＳＣは、遅延回路１８４ｃの動作により、２クロックの遅延が付与される毎に最大値検出回路１８５ｃへ出力される。つまり、最大値検出回路１８５ｃへは、図１５において示す前端部の信号レベル、中間部の信号レベル及び後端部の夫々の信号レベルが出力される。従って、最大値検出回路１８５ｃからは、前端部の信号レベル、中間部の信号レベル及び後端部の夫々の信号レベルのうち最大の信号レベル（つまり、図１７に示す波形歪み量Ｄ’）が出力される。尚、図１７に示す波形歪みの例では、波形歪みはゼロレベル以下において発生しているため、出力される波形歪み量は、−Ｄ’となる。その後、サンプルホールド回路１８６ｃにおいて、Ｔｍａｘ検出回路１８２ｃにおいて検出されたＴｍａｘが、最大値検出回路１８５ｃの出力によりサンプルホールドされ、その結果、波形歪み量Ｄ’が取得される。この場合に取得された波形歪み量Ｄ’は、リミッタ１５２３へ出力されるオフセット値ＯＦＳを算出する際に用いられる。実際にリミッタ１５２３へ出力されるオフセット値ＯＦＳは、振幅制限値設定ブロック１５１から出力される振幅制限値の下限−Ｌに応じたレベル制限をかけるリミッタ１８７ｃにより、−Ｄ’＞−Ｌの場合は、Ｄ’−Ｌとなり、−Ｄ’≦−Ｌの場合には０となる。【０１２２】
尚、ここでは、記録データを記録することによって、レーザ光ＬＢの反射率が減少する光ディスク１００を対象とした動作について説明した。つまり、ゼロレベル以下の信号レベルにおいて、信号レベルが意図せず増加するような波形歪みが発生する場合を対象とした動作について説明した。しかしながら、記録データを記録することによって、レーザ光ＬＢの反射率が増加する光ディスク１００を対象としてもよい。つまり、図１９（ａ）から図１９（ｃ）に示すように、ゼロレベル以上の信号レベルにおいて、信号レベルが意図せず減少するような波形歪みが発生する場合を対象としてもよい。この場合、図１６に示すオフセット算出回路１８ｃ中の最大値検出回路１８５ｃは、最小値検出回路１８７ｃに置き換えられ、リミッタ１８７ｃは、振幅制限値設定ブロック１５１から出力される振幅制限値の上限Ｌに応じたレベル制限をかける。実際にリミッタ１５２３へ出力されるオフセット値ＯＦＳは、振幅制限値設定ブロック１５１から出力される振幅制限値の上限Ｌに応じたレベル制限をかけるリミッタ１８７ｃにより、Ｄ’＜Ｌの場合は、Ｌ−Ｄ’となり、Ｄ’≧Ｌの場合には０となる。【０１２３】
このようにして算出されるオフセット値ＯＦＳは、再生動作中に随時加算されてもよい。具体的には、図２０に示すように、再生動作が行われている際に（ステップＳ１０１）、適宜再生動作を終了するか否かが判定される（ステップＳ１０２）。【０１２４】
ステップＳ１０２における判定の結果、再生動作を終了すると判定された場合には（ステップＳ１０２：Ｙｅｓ）、そのまま再生動作を終了する。【０１２５】
他方、ステップＳ１０２における判定の結果、再生動作を終了しないと判定された場合には（ステップＳ１０２：Ｎｏ）、続いて、１データブロックの再生が新たに開始されるか否かが判定される（ステップＳ１０３）。【０１２６】
ステップＳ１０３における判定の結果、１データブロックの再生が新たに開始されない（つまり、それまでのデータブロックの再生を継続する）と判定された場合には（ステップＳ１０３：Ｎｏ）、ステップＳ１０１へ戻り、再生動作を継続する。【０１２７】
他方、ステップＳ１０３における判定の結果、１データブロックの再生が新たに開始されると判定された場合には（ステップＳ１０３：Ｙｅｓ）、続いて、オフセット算出回路１８ｃの動作により波形歪み量Ｄ’が算出される（ステップＳ１３１）。その後、波形歪み量Ｄ’に応じたオフセット値ＯＦＳが読取サンプル値系列ＲＳＣに加算される（ステップＳ１０５）。【０１２８】
或いは、オフセット値ＯＦＳは、再生動作中に再生エラーが生じた場合に加算されてもよい。具体的には、図２１に示すように、再生動作が行われている際に（ステップＳ１０１）、適宜再生動作を終了するか否かが判定される（ステップＳ１０２）。【０１２９】
ステップＳ１０２における判定の結果、再生動作を終了すると判定された場合には（ステップＳ１０２：Ｙｅｓ）、そのまま再生動作を終了する。【０１３０】
他方、ステップＳ１０２における判定の結果、再生動作を終了しないと判定された場合には（ステップＳ１０２：Ｎｏ）、続いて、ＳＥＲ（Symbol Error Rate）の値が正常であるか否かが判定される（ステップＳ１１１）。【０１３１】
ステップＳ１１１における判定の結果、ＳＥＲの値が正常であると判定された場合には（ステップＳ１１１：Ｙｅｓ）、ステップＳ１０１へ戻り、再生動作を継続する。【０１３２】
他方、ステップＳ１１１における判定の結果、ＳＥＲの値が正常でないと判定された場合には（ステップＳ１１１：Ｎｏ）、続いて、オフセット算出回路１８ｃの動作により波形歪み量Ｄ’が算出される（ステップＳ１３１）。その後、波形歪み量Ｄ’に応じたオフセット値ＯＦＳが読取サンプル値系列ＲＳＣに加算される（ステップＳ１０５）。【０１３３】
このように、波形歪み量Ｄ’に応じたオフセット値ＯＦＳを読取サンプル値系列ＲＳＣに加算することで、波形歪みによる影響を排除しながら上述した各種効果を享受することができる。この波形歪みによる影響を排除する効果について、図２２及び図２３を参照しながら説明する。ここに、図２２は、波形歪み量Ｄに応じたオフセット値ＯＦＳを読取サンプル値系列ＲＳＣに加算することなくゼロレベルを設定する場合及び波形歪み量Ｄに応じたオフセット値ＯＦＳを読取サンプル値系列ＲＳＣに加算することでゼロレベルを調整する場合の夫々における高域強調読取サンプル値系列ＲＳＨの取得動作を、波形歪みが発生しているサンプル値系列ＲＳＣ上で概念的に示す波形図であり、図２３は、上限又は下限と波形歪みとの位置関係に対するシンボルエラーレートの変化を示すグラフである。【０１３４】
図２２（ａ）に示すように、波形歪みが発生している場合には、波形歪みが振幅制限値の下限−Ｌを上回る信号レベルと取りかねない。ここで、波形歪み量Ｄ’に応じたオフセット値ＯＦＳ（＝Ｄ’−Ｌ）を読取サンプル値系列ＲＳＣに加算することなく（つまり、ゼロレベルの調整を行うことなく）、上述した振幅制限ブロック１５２及び高域強調ブロック１５３による動作を行うとする。この場合、高域強調ブロック１５３から出力される高域強調読取サンプル値系列ＲＳＨは、高域強調読取サンプル値系列ＲＳＨＩＧとＳ（０）との和であり、ＲＳＨＩＧは、（−ｋ）×Ｓｉｐ（−１）＋ｋ×Ｓｉｐ（０）＋ｋ×Ｓｉｐ（１）＋（−ｋ）×Ｓｉｐ（２）にて示されることは前述した。ここで、Ｓｉｐ（−１）とＳｉｐ（２）は、下限−Ｌに抑制されるため、ＲＳＨ＝Ｓ（０）＋ｋ×（−２×Ｌ２＋Ｓｉｐ（０）＋Ｓｉｐ（１））となる。これでは、下限−ＬとＳｉｐ（０）とＳｉｐ（１）の和をＫ倍した値だけ、高域強調読取サンプル値系列ＲＳＨの値が大きくなってしまう。これは、本来発生するべきでない波形歪みを強調してしまっているため好ましくない。【０１３５】
他方、図２２（ｂ）に示すように、波形歪み量Ｄ’に応じたオフセット値ＯＦＳ（＝Ｄ’−Ｌ）を読取サンプル値系列ＲＳＣに加算して、上述した振幅制限ブロック１５２及び高域強調ブロック１５３による動作を行うとする。この場合、ゼロレベルは、波形歪みから遠ざかる方向へ（つまり、波形歪みが発生している側とは反対側）へシフトする。このため、新たな下限−Ｌは、波形歪みに相当する波形と交差することがなくなる。つまり、オフセット値ＯＦＳの読取サンプル値系列ＲＳＣへの加算は、ゼロレベルを波形歪みから遠ざかる方向へシフトさせる又は振幅制限値の下限が波形歪みと交差しないことを目的として行われる。このため、Ｓｉｐ（−１）とＳｉｐ（０）と、Ｓｉｐ（１）とＳｉｐ（２）は、下限−Ｌに抑制されるため、ＲＳＨ＝Ｓ（０）となる。このため、波形歪みを強調する不都合を防ぐことができる。【０１３６】
このように波形歪み量Ｄ’に応じたオフセット値ＯＦＳを読取サンプル値系列ＲＳＣに加算する情報再生装置１の効果は、振幅制限値の上限又は下限と波形歪みとの位置関係に対するシンボルエラーレートの変化からも分かる。図２３に示すように、下限と波形歪みとが交わっている場合（つまり、−Ｌ＋波形歪み量Ｄ’がマイナスとなる場合）と比較して、下限−Ｌと波形歪みとが交わっていない場合（つまり、−Ｌ＋波形歪み量Ｄ’がプラスとなる場合）におけるＳＥＲの値は改善している。もちろん、上限Ｌと波形歪みとの位置関係に対するシンボルエラーレートの変化についても同様のことが言える。【０１３７】
尚、このように、波形歪み量Ｄ’に応じたオフセット値ＯＦＳを読取サンプル値系列ＲＳＣに加算する場合には、振幅制限値の下限が波形歪みと交差しないことが好ましいが、ゼロレベルが波形歪みと交差しないように、波形歪み量Ｄ’に応じたオフセット値ＯＦＳを読取サンプル値系列ＲＳＣに加算するように構成してもよい。【０１３８】
尚、光ディスク１００に記録される記録データには、通常のユーザデータに加えて、該ユーザデータを再生する際の同期をとるために用いられる同期データ（例えば、光ディスク１００がＤＶＤであればランレングス１４Ｔの記録データであり、光ディスク１００がＢｌｕ−ｒａｙ  Ｄｉｓｃであればランレングス９Ｔの記録データ）が含まれている。このような同期データが記録データに含まれていることを考慮して、図２４に示す構成を用いて波形歪み量Ｄ’に基づいてオフセット値ＯＦＳを算出するように構成してもよい。ここに、図２４は、同期データが記録データに含まれていることを考慮しながら、波形歪み量Ｄ’に基づいてオフセット値ＯＦＳを算出するオフセット算出回路１８ｄの構成を概念的に示すブロック図である。【０１３９】
図２４に示すように、オフセット算出回路１８ｄは、Ｔｍａｘ波形歪み量検出ブロック１８１ｄと、Ｔｓｙｎｃ波形歪み量検出ブロック１８２ｄと、リミッタ１８３ｄと、リミッタ１８４ｄと、セレクタ１８５ｄとを備えている。【０１４０】
Ｔｍａｘ波形歪み量検出回路１８１ｄは、上述したオフセット算出回路１８ｃと同様の構成を有している。つまり、Ｔｍａｘ波形歪み量検出回路１８１ｄは、ランレングスがＴｍａｘである記録データに対応する読取信号の波形歪み量Ｄ’１を検出する。尚、図１７に示す波形歪みの例では、波形歪みはゼロレベル以下において発生しているため、出力される波形歪み量は、−Ｄ’１となる。【０１４１】
Ｔｓｙｎｃ波形歪み量検出回路１８２ｄは、上述したオフセット算出回路１８ｃのうちＴｍａｘ検出回路１８２ｃを、Ｔｓｙｎｃ検出回路に置き換えた構成を有している。つまり、Ｔｓｙｎｃ波形歪み量検出回路１８２ｄは、ランレングスがＴｓｙｎｃである記録データに対応する読取信号の波形歪み量Ｄ’２を検出する。尚、図１７に示す波形歪みの例では、波形歪みはゼロレベル以下において発生しているため、出力される波形歪み量は、−Ｄ’２となる。【０１４２】
尚、Ｔｓｙｎｃは、同期データ（言い換えれば、ｓｙｎｃデータ）に対応する読取信号ＲＲＦ（より具体的には、該読取信号ＲＲＦに対応する読取サンプル値系列ＲＳＣ）を示している。例えば、光ディスク１００がＤＶＤであれば、Ｔｓｙｎｃは、ランレングスが１４Ｔの記録データに対応する読取信号ＲＲＦを示している。例えば、光ディスク１００がＢｌｕ−ｒａｙ  Ｄｉｓｃであれば、Ｔｓｙｎｃは、ランレングスが９Ｔの記録データに対応する読取信号ＲＲＦを示している。【０１４３】
Ｔｍａｘ波形歪み量検出回路１８１ｄにおいて検出された波形歪み量−Ｄ１は、リミッタ１８３ｄにおいて、振幅制限値設定ブロック１５１において設定される下限−Ｌによる制限を受ける。つまり、波形歪み量−Ｄ’１が下限−Ｌ以下の値を有している（つまり、Ｔｍａｘの読取信号の波形歪みが下限−Ｌと交わらない）場合には、オフセット値ＯＦＳとして０がセレクタ１８５ｄへ出力される。波形歪み量−Ｄ’１が下限−Ｌ以上の値を有している（つまり、Ｔｍａｘの読取信号の波形歪みが下限−Ｌと交わる）場合には、オフセット値ＯＦＳとしてＤ’１−Ｌがセレクタ１８５ｄへ出力される。【０１４４】
同様に、Ｔｓｙｎｃ波形歪み量検出回路１８２ｄにおいて検出された波形歪み量−Ｄ２は、リミッタ１８４ｄにおいて、振幅制限値設定ブロック１５１において設定される下限−Ｌによる制限を受ける。つまり、波形歪み量−Ｄ’２が下限−Ｌ以下の値を有している（つまり、Ｔｓｙｎｃの読取信号の波形歪みが下限−Ｌと交わらない）場合には、オフセット値ＯＦＳとして０がセレクタ１８５ｄへ出力される。波形歪み量Ｄ’２が下限−Ｌ以上の値を有している（つまり、Ｔｓｙｎｃの読取信号の波形歪みが下限−Ｌと交わる）場合には、オフセット値ＯＦＳとしてＤ’２−Ｌがセレクタ１５４５ｅへ出力される。【０１４５】
セレクタ１８５ｄにおいては、同期データが出現するタイミングに立ち上がりパルスを有するＧＡＴＥ信号に基づいて、リミッタ１８３ｄ及びリミッタ１８４ｄの夫々の出力を適宜切り替えて、オフセット値ＯＦＳを出力する。具体的には、ＧＡＴＥ信号により立ち上がりパルスが発生していないタイミング（つまり、通常のユーザデータが再生されているタイミング）では、リミッタ１８３ｄの出力をオフセット値ＯＦＳとして出力する。他方、ＧＡＴＥ信号により立ち上がりパルスが発生しているタイミング（つまり、同期データが再生されているタイミング）では、リミッタ１８４ｄの出力をオフセット値ＯＦＳとして出力する。【０１４６】
このように、同期データが記録データに含まれていることを考慮しながら波形歪み量Ｄ’に基づいてオフセット値ＯＦＳを算出することで、ユーザデータよりもその重要性が高い同期データの高域強調を好適に行うことができ、その結果同期データの再生を好適に行うことができる。これにより、再生動作の安定性をより一層高めることができる。【０１４７】
尚、図２４を用いて示した例においては、ユーザデータの波形歪み量−Ｄ’１と同期データの波形歪み量−Ｄ’２とを適宜切り替えてオフセット値ＯＦＳを算出する構成を示している。しかしながら、同期データの重要性に重点をおけば、同期データの波形歪み量−Ｄ’２を常に用いてオフセット値ＯＦＳを算出するように構成してもよい。【０１４８】
また、図２４における説明では、記録データを記録することによって、レーザ光ＬＢの反射率が減少する光ディスク１００を対象とした動作について説明した。しかしながら、記録データを記録することによって、レーザ光ＬＢの反射率が増加する光ディスク１００を対象としてよい。この場合、図２４に示すオフセット算出ブロック１８ｄ中のリミッタ１８３ｄ及び１８４ｄの夫々は、振幅制限値設定ブロック１５１から出力される振幅制限値の上限Ｌに応じたレベル制限をかける。このため、リミッタ１８３ｄからは、波形歪み量Ｄ’１が上限Ｌ以上の値を有している（つまり、Ｔｍａｘの読取信号の波形歪みが上限Ｌと交わらない）場合には、オフセット値ＯＦＳとして０がセレクタ１８５ｄへ出力される。波形歪み量Ｄ’１が上限Ｌ以下の値を有している（つまり、Ｔｍａｘの読取信号の波形歪みが上限Ｌと交わる）場合には、オフセット値ＯＦＳとして、Ｌ−Ｄ’１がセレクタ１８５ｄへ出力される。同様に、リミッタ１８４ｄからは、波形歪み量Ｄ’２が上限Ｌ以上の値を有している（つまり、Ｔｍａｘの読取信号の波形歪みが上限Ｌと交わらない）場合には、オフセット値ＯＦＳとして０がセレクタ１８５ｄへ出力される。波形歪み量Ｄ’２が上限Ｌ以下の値を有している（つまり、Ｔｍａｘの読取信号の波形歪みが上限Ｌと交わる）場合には、オフセット値ＯＦＳとして、Ｌ―Ｄ’２がセレクタ１８５ｄへ出力される。【０１４９】
尚、本実施例においては、オフセット値ＯＦＳとして、アシンメトリ値Ａｓｙや、β値や波形歪み量Ｄ’をそのまま用いている。しかしながら、検出されるアシンメトリ値Ａｓｙやβ値や波形歪み量Ｄに応じて適切な値を、オフセット値ＯＦＳとして設定してもよい。つまり、アシンメトリ値Ａｓｙやβ値や波形歪み量Ｄを変数とする所定の関数等により特定される値を、オフセット値ＯＦＳとして設定してもよい。【０１５０】
また、本実施例においては、アシンメトリ値やβ値や波形歪み量に応じて算出されるオフセット値ＯＦＳを加算する構成について説明したが、任意のオフセット値を加算するように構成してもよい。或いは、ゼロレベルを任意の値に設定するように構成してもよい。【０１５１】
（３）  変形例
続いて、図２５を参照して、変形例に係る情報再生装置について説明する。ここに、図２５は、変形例に係る情報再生装置２の基本構成を概念的に示すブロック図である。【０１５２】
図２５に示すように、変形例に係る情報再生装置２においては、オフセット算出回路１８において算出されたオフセット値ＯＦＳは、ＨＰＦ１２から出力される読取信号ＲＨＣに加算される。つまり、図１に示した構成では、オフセット算出回路１８において算出されたオフセット値ＯＦＳを、デジタル的に読取サンプル値系列ＲＳＣに対して加算されているが、アナログ的に読取信号ＲＨＣに加算されるように構成してもよい。このように構成しても、上述した各種効果と同様の効果を好適に享受することができる。【０１５３】
尚、上述の説明では、データを記録することで、レーザ光の反射率が減少する光ディスク１００について説明を進めた。しかしながら、データを記録することで、レーザ光の反射率が増加する光ディスクについても同様の動作を行ってもよいことは言うまでもない。【０１５４】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、並びにコンピュータプログラムもまた本発明の技術的範囲に含まれるものである。
【図１】
2008053541.tif 000003
【図２】
2008053541.tif 000004
【図３】
2008053541.tif 000005
【図４】
2008053541.tif 000006
【図５】
2008053541.tif 000007
【図６】
2008053541.tif 000008
【図７】
2008053541.tif 000009
【図８】
2008053541.tif 000010
【図９】
2008053541.tif 000011
【図１０】
2008053541.tif 000012
【図１１】
2008053541.tif 000013
【図１２】
2008053541.tif 000014
【図１３】
2008053541.tif 000015
【図１４】
2008053541.tif 000016
【図１５】
2008053541.tif 000017
【図１６】
2008053541.tif 000018
【図１７】
2008053541.tif 000019
【図１８】
2008053541.tif 000020
【図１９】
2008053541.tif 000021
【図２０】
2008053541.tif 000022
【図２１】
2008053541.tif 000023
【図２２】
2008053541.tif 000024
【図２３】
2008053541.tif 000025
【図２４】
2008053541.tif 000026
【図２５】
2008053541.tif 000027
【手続補正書】
【提出日】平成21年4月6日(2009.4.6)
【手続補正１】
【補正対象書類名】明細書
【補正対象項目名】０１０２
【補正方法】変更
【補正の内容】
【０１０２】
図１３に示すように、アシンメトリ値は、ランレングスが最も長い記録データに対応する読取信号ＲＲＦの振幅中心に対する、ランレングスが最も短い記録データに対応する読取信号の振幅中心のずれを示す。具体的には、ランレングスが最も長い記録データに対応する読取信号ＲＲＦの振幅中心をＩｍａｘＣｎｔとし、ＩｍａｘＣｎｔを基準とするランレングスが最も長い記録データに対応する読取信号ＲＲＦのトップ振幅の大きさをＩｍａｘＨとし、ＩｍａｘＣｎｔを基準とするランレングスが最も長い記録データに対応する読取信号ＲＲＦのボトム振幅の大きさをＩｍａｘＬとし、ＩｍａｘＣｎｔを基準とするランレングスが最も短い記録データに対応する読取信号ＲＲＦのトップ振幅の大きさをＩｍｉｎＨとし、ＩｍａｘＣｎｔを基準とするランレングスが最も短い記録データに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ−ＩｍａｘＬ））にて示される。尚、ＩｍａｘＣｎｔは、ランレングスが最も長い記録データに対応する読取信号ＲＲＦのトップ振幅値とボトム振幅値との平均値である。
【手続補正２】
【補正対象書類名】図面
【補正対象項目名】図２
【補正方法】変更
【補正の内容】
【図２】
2008053541.tif 000028
【国際調査報告】
2008053541.tif 000029
2008053541.tif 000030